(57)【要約】【課題】  光触媒殺菌装置は、有害物質除去の効果に優れているが、反応速度が遅い欠点と、光触媒の表面に接触した部分にしか有害物質除去が行われない欠点がある。また、紫外光線は殺菌効果が高いが、多くの細菌については細菌の増殖速度が早く、充分な効果が得られる構造の装置は容易なく、実用面で充分な性能を持つ装置は、特殊用途の複雑な構造など製造コストが高く組み込み費用、維持費等も増加し、高額な装置になってしまう問題があった。【解決手段】  本発明は、外側用と内側用の直径の異なる２本の石英ガラス管を重ねて用いて、内側の石英ガラス管の中央部に殺菌紫外線ランプを配置するだけで、殺菌槽と光触媒槽を一体構造するシンプルな方法で、有害物質の除去と殺菌効果を向上させた。循環効率も良く、循環が容易に可能となり、更に、それらの性能が高まり、処理理対象物のタンク容器を含めても、装置全体が大幅にシンプルで、小型、軽量となり、コストや設置費、維持費も大幅に低減できる。【選択図】図４
2007167608.tif 000002
【特許請求の範囲】
【請求項１】
図１−４の本体ケースの内側に、２本の径の異なった石英管１と石英管２を二重に配置し、石英管２の内側に殺菌用紫外線ランプ３を配置する方法で、石英管１と石英管２の間に空間を設け、これを殺菌槽５とし、本体ケース４と石英管１との間に空間を設けこれを光触媒槽６として、殺菌槽５と光触媒槽６を一体構造にした光触媒殺菌装置。
【発明の詳細な説明】
【発明の詳細な説明】
【技術分野】
【０００１】  本発明は、培養液などの各種液体の浄化、各産業での気体、ガスなどの浄化、飲料水の殺菌や浄化、施設や家庭などでの空気の殺菌、浄化などに用いられる、紫外線による殺菌処理効果と光触媒よる有害物質除去処理効果を高める光触媒殺菌装置。
【背景技術】
【０００２】  従来は、図５，６，７，８，９、１０，１１，１２の実施例の様であり、いずれも殺菌用紫外線ランプ３は、被処理対称物が通過する中央に配置されていた。
実施例の図５−１１の配置は、本体ケース４に塗布された光触媒に、接触する量が少ないまま、通過する被処理対称物の量が多く、有害物質除去の効果は少なかった。
それを改良した実施例が図７−１２の配置である。プレートをジャバラ状にし、光触媒の塗布表面積を増やしている。図５の方法より有害物質除去能力は高まるが、それでも光触媒に被処理対称物が接触せず、有害物質除去効果が得られない被処理対称物の量が多い欠点は残され、被処理対称物の投入量も減少する欠点が生じる。
それを改良した実施例が図９−７の高密度光触媒配置である。光触媒７は光触媒ボール又は細かい網目状になっており、光触媒に接触する被処理対称物の量が増え、その分は有害物質除去が高まが、光触媒の陰には紫外線が当たらず殺菌効果が得らまま、通過しまう被処理対称物が生ずる欠点がある。
図１１は、その欠点を解決するために光触媒槽６と殺菌槽５に分離し、各槽に殺菌用紫外線ランプ３を配置したもである。光触媒槽６に高密度光触媒７を配置する事で、被処理対称物を各槽に順繰りで通過させ効率を上げているが、循環させるには、更に大掛かりになる。装置が大きく複雑になり製作費や維持費も大きくなってしまう欠点がるこのように、従来技術では、殺菌効果と有害物質除去効果が不充分で、製作費や維持費が高額なものが多かった。
【発明が解決しようとする課題】
【０００３】  光触媒殺菌装置の光触媒は、有害物質除去の効果に優れているが、応速度が遅く、光触媒の表面に接触した物質だけにしか有害物質除去が行われない欠点がある。また、紫外光線は殺菌効果が高いが、多くの細菌については細菌の増殖速度が早く、装置全体の性能としては、充分な効果が得られなかった。循環部などを含めると、更に複雑となり、製造コストと組み込み費用、維持費等も増加し、高額な装置になってしまう問題があった。
【課題を解決するための手段】
【０００４】  直径の異なる２本の石英ガラス管で、二重に仕切、内側に殺菌槽、外側に光触媒槽を設置し、内側の石英管の中央に殺菌紫外線ランプを配置することで、殺菌槽と光触媒槽を一体構造にしたもので、浄化殺菌させる対象物を殺菌槽と光触媒槽を循環させる様にした。
特徴は、殺菌槽と光触媒槽はシンプルな構造で構成できる事にあり、循環効率も良く、循環が容易であり、有害物質除去の効果と殺菌効果が更に高まり、循環部もシンプルでコンパクトとなり、有害物質除去の効果と殺菌効果が高く、被処理対象物のタンク容器を含めても、装置全体がシンプル、小型、軽量となり、コストも大幅に低減できた。本発明は、このように、従来技術の諸問題を大幅に改善したものである。
【発明を実施するための最良の形態】
【０００５】  本発明の原理、構造は、図１の通りで、２本の径の異なった石英管１、２を配置し内側２の内側に殺菌用紫外線ランプ３を配置することで、石英管１と石英管２の間に空間を設け、殺菌槽５とし、本体ケース４と石英管１の間に空間を設け光触媒槽６としたものである。
図４は、本発明の実施例で、光触媒装置の外側にケース９を設け、被処理対象物１０に、液体を用いた殺菌と有害物質除去、浄化を実施したものである。
被処理対象物１０は、殺菌槽５を通通過するが、殺菌用紫外線ランプ３の紫外光線光を遮蔽する事なく照射を受けるため殺菌効果を上げることが出来る。殺菌処理された被対象物１０は、光触媒槽６へ還流される。  この６にも５と同様に紫外光線を遮蔽される事が無いため、ムダ無く照射され、有害物質除去の効果を上げることが出来る。
更に、還流装置１３を付随した簡単な構造で、被処理対象物を還流、循環させる事ができる。循環させること光触媒での有害物質除去効果と殺菌効果は蓄積され、更に効果が高まる。
構造が単純でコンパクトである特徴があり、このようなシンプルな構造であり、還流装置や被処理対象物のタンク容器を含めても小型で単純構造あり、コストも大幅に低減され、処理する対象物に応じ、各種の用途、装置に組み込み、取りつけが可能となった。
【発明の効果】
【０００６】  光触媒の有害物質除去効率の高い、高密度光触媒が採用可能になり、その結果、有害物質除去処理能力と殺菌処理能力が同時に高められるようになった。又、被処理対象物のタンク容器を含めても、構造が簡単、コンパクトであるため、製作コストの低減、維持費の低減にも大きく寄与する。  このように、実用性の要求事項が充分満たされているので、農業分野などの培養液、消毒液の浄化、工業用薬品や液体の浄化、各産業での気体、空気や液体の殺菌や浄化、施設等での緊急時の飲料水の殺菌や浄化、各家庭での給排水の浄化、室内環境の浄化に利用するなど、各分野での応用が可能となった。
【図面の簡単な説明】
【０００７】
【図１】  本発明の原理構造の平面図
【図２】  本発明の原理構造の断面図
【図３】  本発明の実施例の平面図
【図４】  本発明の実施例の断面図
【図５】  従来技術の例１。ケースの内面に光触媒を塗布した平面図
【図６】  従来技術の例１。ケースの内面に光触媒を塗布した断面図
【図７】  従来技術の例２。ジャバラ状のプレートに光触媒を塗布した平面図
【図８】  従来技術の例２。ジャバラ状のプレートに光触媒を塗布した断面図
【図９】  従来技術の例３。高密度光触媒を配置した平面図
【図１０】  従来技術の例３。高密度光触媒を配置した断面図
【図１１】  従来技術の例４。殺菌槽と光触媒槽を個別にした二槽式の平面図
【図１２】  従来技術の例４。殺菌槽と光触媒槽を個別にした二槽式の断面図
【符号の説明】
１  外側石英管
２  内側石英管
３  殺菌用紫外線ランプ
４  光触媒装置本体ケース
５  殺菌槽
６  光触媒槽
７  高密度光触媒
８  被処理物質の流れ方向
９  装置ケース
１０  被処理物質
１１  ケースに塗布した光触媒
１２  ジャバラ状プレートに塗布した光触媒
１３  循環装置
【図１】
2007167608.tif 000003
【図２】
2007167608.tif 000004
【図３】
2007167608.tif 000005
【図４】
2007167608.tif 000006
【図５】
2007167608.tif 000007
【図６】
2007167608.tif 000008
【図７】
2007167608.tif 000009
【図８】
2007167608.tif 000010
【図９】
2007167608.tif 000011
【図１０】
2007167608.tif 000012
【図１１】
2007167608.tif 000013
【図１２】
2007167608.tif 000014